(57)【要約】  光ディスクの判別方法及びその装置が開示される。光ディスクの種類によって相違に発生するフォーカスエラー信号のピークツウピーク値に基づいて光ディスクの種類を判別する。すなわち、ＣＤ用光源がオンにされた期間の間に検出されたフォーカスエラー信号及びＤＶＤ用光源がオンにされた期間の間に検出されたフォーカスエラー信号のピーク値の大きさ、ピーク値の個数、ピーク値間の間隔情報などに基づいて、ローディングされた光ディスクの種類を判別する。これにより、光ディスクの判別時間を短縮することができ、光ディスクの判別に対する正確度が向上する。
2007520834.tif 000002
【特許請求の範囲】
【請求項１】
光ディスクドライブにおける光ディスクの判別方法において、
第１光ディスク用光源をオンにした状態で光検出器を通じて検出されたフォーカスエラー信号の中に発生する第１Ｓ−カーブに対する第１ピーク値を検出するステップと、
第２光ディスク用光源をオンにした状態で前記光検出器を通じて検出されたフォーカスエラー信号の中に発生する第２Ｓ−カーブに対する第２ピーク値を検出するステップと、
検出された前記第１及び第２ピーク値に基づいて前記光ディスクドライブにローディングされた光ディスクの種類を判別するステップと、を含むことを特徴とする光ディスクの判別方法。
【請求項２】
前記第１Ｓ−カーブは、前記第１光ディスク用光源をオンにした後フォーカスアクチュエータのアップ期間の間に検出され、前記第２Ｓ−カーブは、前記第２光ディスク用光源をオンにした後前記フォーカスアクチュエータのダウン期間の間に検出されることを特徴とする請求項１に記載の光ディスクの判別方法。
【請求項３】
前記第１及び第２ピーク値に基づいて、前記第１及び第２Ｓ−カーブの発生回数と前記各Ｓ−カーブ間の間隔情報を検出するステップをさらに含むことを特徴とする請求項１または２に記載の光ディスクの判別方法。
【請求項４】
前記ディスク種類の判別ステップは、
前記第１ピーク値と前記第２ピーク値とを比較するステップをさらに含み、
前記比較結果、前記第１ピーク値が前記第２ピーク値より所定のレベル以上大きければローディングされた前記光ディスクを前記１光ディスクと判断し、前記第２ピーク値が前記第１ピーク値より所定のレベル以上小さければローディングされた前記光ディスクを前記第２光ディスクと判断することを特徴とする請求項３に記載の光ディスクの判別方法。
【請求項５】
前記ディスク種類の判別ステップは、
前記第１及び第２ピーク値それぞれと予め設定された第１及び第２閾値とを比較して、ローディングされた前記光ディスクがノーマルディスクであるか再記録可能なディスクであるかを判別することを特徴とする請求項４に記載の光ディスクの判別方法。
【請求項６】
前記ディスク種類の判別ステップは、
ローディングされた前記光ディスクが前記第２光ディスクであると判断されれば、検出された前記第１及び第２Ｓ−カーブの発生回数情報に基づいて、ローディングされた前記光ディスクがシングルレイヤーディスクであるかデュアルレイヤーディスクであるかを判別することを特徴とする請求項４に記載の光ディスクの判別方法。
【請求項７】
前記ディスク種類の判別ステップは、
ローディングされた前記光ディスクが前記デュアルレイヤーディスクであると判断されれば、前記各Ｓ−カーブ間の間隔が予め設定された基準間隔の以上であるかに基づいて、ローディングされた前記光ディスクがノーマルディスクであるかハイブリッドディスクであるかを判別することを特徴とする請求項６に記載の光ディスクの判別方法。
【請求項８】
前記第１光ディスクはＣＤであり、前記第２光ディスクはＤＶＤであることを特徴とする請求項５に記載の光ディスクの判別方法。
【請求項９】
光ディスクドライブの光ディスク判別装置において、
ローディングされた光ディスクに相異なるレーザビームを出射する第１及び第２光ディスク用光源、前記レーザビームのフォーカシング制御のためのフォーカスアクチュエータ、及び前記光ディスクから反射されるレーザビームの光量を検出する光検出器を備えるピックアップ部と、
前記フォーカスアクチュエータのアップ／ダウン期間の間に前記光検出器から検出された光量に基づいてフォーカスエラー信号を生成するＲＦ信号処理部と、
前記フォーカスアクチュエータのアップ／ダウン期間の間に前記フォーカスエラー信号の中に発生する第１及び第２Ｓ−カーブに対する第１及び第２ピーク値を検出するサーボ部と、
前記サーボ部により検出された前記第１及び第２ピーク値に基づいて、前記第１及び第２Ｓ−カーブの発生回数と前記第１及び第２Ｓ−カーブ間の間隔情報を検出し、前記第１及び第２ピーク値と検出された前記情報に基づいて、ローディングされた前記光ディスクの種類を判別する制御部と、を含むことを特徴とする光ディスク判別装置。
【請求項１０】
前記制御部は前記フォーカスアクチュエータのアップ期間の間に前記第１光源用光源がオンにされ、前記フォーカスアクチュエータのダウン期間の間に前記第２光源用光源がオンにされるよう制御することを特徴とする請求項９に記載の光ディスク判別装置。
【請求項１１】
前記制御部は前記第１ピーク値と前記第２ピーク値とを比較して、前記第１ピーク値が前記第２ピーク値より所定のレベル以上大きければローディングされた前記光ディスクを第１光ディスクと判断し、前記第２ピーク値が前記第１ピーク値より所定のレベル以上小さければローディングされた前記光ディスクを第２光ディスクと判断することを特徴とする請求項１０に記載の光ディスク判別装置。
【請求項１２】
前記制御部は前記第１及び前記第２ピーク値とそれぞれ予め設定された第１及び第２閾値とを比較して、ローディングされた前記光ディスクがノーマルディスクであるか再記録可能なディスクであるかを判別することを特徴とする請求項１１に記載の光ディスク判別装置。
【請求項１３】
前記制御部はローディングされた前記光ディスクが前記第２光ディスクであると判断されれば、前記第１及び第２Ｓ−カーブの発生回数情報に基づいて、ローディングされた前記光ディスクがシングルレイヤーディスクであるかデュアルレイヤーディスクであるかを判別することを特徴とする請求項１１に記載の光ディスク判別装置。
【請求項１４】
前記制御部はローディングされた前記光ディスクが前記デュアルレイヤーディスクであると判断されれば、前記各Ｓ−カーブ間の間隔が予め設定された基準間隔の以上であるかに基づいて、ローディングされた前記光ディスクがノーマルディスクであるかハイブリッドディスクであるかを判別することを特徴とする請求項１３に記載の光ディスク判別装置。
【請求項１５】
前記第１光ディスクはＣＤであり、前記第２光ディスクはＤＶＤであることを特徴とする請求項１１に記載の光ディスク判別装置。
【発明の詳細な説明】
【技術分野】
【０００１】
本発明は、光ディスクの判別方法及びその装置に係り、より詳しくは、フォーカスエラー信号のピーク値を利用してローディングされた光ディスクの種類を判別する光ディスクの判別方法及びその装置に関する。
【背景技術】
【０００２】
最近、多様な種類の光ディスクが情報記憶媒体として幅広く利用されるにつれ、光ディスク記録及び／または再生装置も少なくとも２つ以上の光ディスクを再生または記録できるよう構成されている。
【０００３】
これにより、光ディスク記録及び／または再生装置は光ディスクがローディングされるとき、優先的にローディングされた光ディスクの種類を判別する必要があるが、従来のＣＤとＤＶＤを再生する再生機器においては２種類の光ディスクを区別するだけで充分であった。
【０００４】
しかし、最近、記録媒体として光ディスクの利用範囲が拡大されるにつれ、その種類も多様化してきた。したがって、各種類の光ディスク間の光学的特性の違いも共通している部分が多くて一つの基準で判別するとディスク判別の正確度が落ちる。また、正確度を高めるため多様な基準をもって段階的に判別ルートを行うと多くの時間がかかる問題がある。
【０００５】
したがって、光ディスクの種類が多様化されるにつれ、光ディスク記録及び／または再生装置がより迅速、且つ正確に光ディスクの種類を判別できる方法が求められている。
【発明の開示】
【発明が解決しようとする課題】
【０００６】
本発明の目的は、光ディスクの種類によって相違に発生するフォーカスエラー信号のピーク値に基づいて光ディスクの種類を判別できる光ディスクの判別方法及びその装置を提供することにある。
【課題を解決するための手段】
【０００７】
前記のような技術的課題を解決するため、本発明は光ディスクの種類によって相違に発生するフォーカスエラー信号のピーク値に基づいてローディングされた光ディスクの種類を判別することを特徴とする。
【０００８】
本発明に係る光ディスク判別装置は光ディスクの種類を判別するため、フォーカスアクチュエータのアップ期間の間にはＣＤ用光源をオンにし、フォーカスアクチュエータのダウン期間の間にはＤＶＤ用光源をオンにする。ＣＤ用光源をオンにした状態でローディングされた光ディスクから反射されるレーザビーム、及びＤＶＤ用光源をオンにした状態でローディングされた光ディスクから反射されるレーザビームからフォーカスエラー信号を生成する。
【０００９】
そして、ＣＤ用光源をオンにした期間及びＤＶＤ用光源をオンにした期間の間に検出されたフォーカスエラー信号のピーク値に基づいてローディングされた光ディスクがＣＤ系であるかＤＶＤ系であるかを判断する。通常、ＣＤのローディングされた状態である場合はＣＤ用光源をオンにした期間に検出されたフォーカスエラー信号のピーク値が、ＤＶＤ用光源をオンにした期間に検出されたフォーカスエラー信号のピーク値より大きいし、ＤＶＤのローディングされた状態である場合はＤＶＤ用光源をオンにした期間に検出されたフォーカスエラー信号のピーク値が、ＣＤ用光源をオンにした期間に検出されたフォーカスエラー信号のピーク値より大きい。したがって、光ディスク判別装置はＣＤ用光源をオンにした期間及びＤＶＤ用光源をオンにした期間の間に検出されたフォーカスエラー信号のピーク値に基づいてローディングされた光ディスクがＣＤ系であるかＤＶＤ系であるかを判断することができる。
【００１０】
また、ローディングされた光ディスクがＣＤ系またはＤＶＤ系であると判断されれば、フォーカスアクチュエータのアップ／ダウン期間の間に検出されたフォーカスエラー信号のピーク値に基づいて検出されたフォーカスエラー信号のピーク個数（Ｓ−カーブの発生回数）及びピーク値同士間の間隔情報に基づいて１次的に分類された光ディスクの種類をさらに細分化する。
【００１１】
光ディスクドライブにローディングされた光ディスクがＣＤ系であると判断されれば、ＣＤ用光源をオンにした期間の間に検出されたフォーカスエラー信号のピーク値と予め設定された閾値とを比較して、ローディングされたＣＤがノーマルＣＤであるかＣＤ−ＲＷであるかを判別する。
【００１２】
一方、ローディングされた光ディスクがＤＶＤ系であると判断されれば、光ディスク判別装置は、ＤＶＤ用光源をオンにした期間の間に検出されたＦＥ信号のピーク値と予め設定された閾値とを比較して、ローディングされたＤＶＤがノーマルＤＶＤであるかＤＶＤ−ＲＷであるかを判別する。
【００１３】
また、ローディングされたＤＶＤがノーマルＤＶＤであると判断されれば、光ディスク判別装置は、ＤＶＤ用光源をオンにした期間の間に検出されたＦＥ信号のピーク個数をチェックしてローディングされたＤＶＤがシングルレイヤーディスクであるかデュアルレイヤーディスクであるかを判断する。このとき、ローディングされたＤＶＤがデュアルレイヤーディスクであると判断されれば、光ディスク判別装置は、前記ピーク間の間隔情報に基づいて前記デュアルレイヤーディスクがデュアルレイヤーＤＶＤであるかハイブリッドディスクであるかを判断する。
【発明を実施するための最良の形態】
【００１４】
以下、添付した図面に基づいて本発明を詳説する。
【００１５】
図１は本発明の好適な実施形態による光ディスク判別装置を概略的に示したブロック図である。
【００１６】
同図に示すように、本発明に係る光ディスク判別装置１００は光ディスク１００ａ、ピックアップ部１１０、ＲＦ信号処理部１２０、自動パワー制御（ＡＰＣ）１３０、サーボ部１４０、フォーカスドライブ１５０、及び制御部１６０を備える。
【００１７】
本発明に係る光ディスク判別装置１００は２種以上の光ディスクに対して記録及び／または再生可能な光ディスクドライブに備えられ、ローディングされた光ディスクの種類を判別する。
【００１８】
ピックアップ部１１０は、ＣＤ用光源として約７８０ｎｍの波長を有する赤外線を出射するＣＤ用レーザダイオード（ＬＤ）１１１、ＤＶＤ用光源として約６５０ｎｍの波長を有する可視光線を出射するＤＶＤ用ＬＤ１１２、ＣＤ用ＬＤ１１１またはＤＶＤ用ＬＤ１１２を通じて出射されるレーザビームを所定の比率で反射及び通過させるビームスプリッタ１１３、ビームスプリッタ１１３から入射されるレーザビームを光ディスク１００ａの記録層に集束させるための対物レンズ１１４、光ディスク１００ａから反射されるレーザビームの光量を検出する光検出器１１６、及び光ディスク１００ａに入射されるレーザビームの焦点が光ディスク１００ａの焦点位置に精度よく結像されるべく、対物レンズ１１４を上下駆動させるフォーカスアクチュエータ１１５を備える。
【００１９】
一方、本実施形態において説明の便宜のためＣＤ用ＬＤ１１１及びＤＶＤ用ＬＤ１１２を分離して図示したが、これに限定されず、ＣＤ用ＬＤ１１１及びＤＶＤ用ＬＤ１１２が一つのケースに形成されることもできる。
【００２０】
ＲＦ信号処理部１２０は光検出器１１６を通じて検出された光量に基づいてフォーカスサーボのためのフォーカスエラー（Ｆｏｃｕｓｉｎｇ  Ｅｒｒｏｒ、以下、ＦＥと称する。）信号を生成する。ＲＦ信号処理部１２０により生成されたＦＥ信号はサーボ部１４０に提供される。ＦＥ信号生成方法は公知の技術であるので詳細な説明は省略する。
【００２１】
ＡＰＣ１３０はサーボ部１４０の制御により駆動され、ＣＤ用ＬＤ１１１及びＤＶＤ用ＬＤ１１２から出射される光量を検出してＣＤ用ＬＤ１１１及びＤＶＤ用ＬＤ１１２から出射される光量を自動制御する。
【００２２】
サーボ部１４０はフォーカスサーボ部１４２及びピーク値検出部１４４を備える。
【００２３】
フォーカスサーボ部１４２はＲＦ信号処理部１２０から出力されるＦＥ信号に基づいて、フォーカスアクチュエータ１１５を駆動させるためのフォーカス駆動電圧（ＦＯＤ）をフォーカスドライブ１５０に提供する。すなわち、フォーカスサーボ部１４２は光ディスク１００ａの信号面が対物レンズ１１４の焦点深度内に位置するよう対物レンズ１１４をアップまたはダウンさせるフォーカスアクチュエータ１１５をアップまたはダウンさせるためのＦＯＤをフォーカスドライブ１５０に提供する。
【００２４】
ピーク値検出部１４４はＲＦ信号処理部１２０から出力されるＦＥ信号のピークツウピーク値（Ｐｅａｋ  Ｔｏ  Ｐｅａｋ、以下、ピーク値と称する。）を検出する。すなわち、ピーク値検出部１４４は光ディスク１００ａの信号面が対物レンズ１１４の焦点深度内に入る時、ＦＥ信号の中に発生するＳ−カーブのピーク値を検出する。ピーク値検出部１４４はフォーカスアクチュエータ１１５をアップさせるためのＦＯＤのアップ期間の間に検出されたＦＥ信号の中に発生した第１Ｓ−カーブに対する第１ピーク値、及びフォーカスアクチュエータ１１５をダウンさせるためのＦＯＤのダウン期間の間に検出されたＦＥ信号の中に発生した第２Ｓ−カーブに対する第２ピーク値を検出する。検出された第１ピーク値及び第２ピーク値の情報は後述する制御部１６０に伝送される。
【００２５】
フォーカスドライブ１５０はフォーカスサーボ部１４２から供給されるＦＯＤをフォーカスアクチュエータ１１５の駆動に適したパワーレベルに増幅してフォーカスアクチュエータ１１５に供給することで、フォーカスアクチュエータ１１５を駆動させる。
【００２６】
制御部１６０はメモリ部（図示せず）に格納された各種制御プログラムに応じて光ディスク判別装置１００の全般的な動作を制御する。光ディスクドライブに光ディスク１００ａがローディングされれば、制御部１６０はローディングされた光ディスク１００ａに対する判別動作を行う。
【００２７】
ローディングされた光ディスク１００ａの種類を判別するために、制御部１６０は光ディスク１００ａに対してフォーカスアクチュエータ１１５をアップ／ダウンさせるためのＦＯＤをフォーカスアクチュエータ１１５に提供するようフォーカスサーボ部１４２を制御する。また、制御部１６０はフォーカスアクチュエータ１１５をアップさせるためのＦＯＤのアップ期間の間にＣＤ用ＬＤ１１１がオンにされ、フォーカスアクチュエータ１１５をダウンさせるためのＦＯＤのダウン期間の間にＤＶＤ用ＬＤ１１２がオンにされるようＡＰＣ１３０を制御する。しかし、これに限定されず、ＦＯＤのアップ期間の間にＤＶＤ用ＬＤ１１２をオンにし、ＦＯＤのダウン期間の間にＣＤ用ＬＤ１１１をオンにすることもできる。
【００２８】
サーボ部１４０によってフォーカスアクチュエータ１１５をアップ／ダウンさせるためのＦＯＤのアップ／ダウン期間の間に検出されたＦＥ信号の中に発生した第１及び第２Ｓ−カーブに対する第１及び第２ピーク値が算出されれば、制御部１６０は前記第１及び第２ピーク値の情報に基づいてローディングされた光ディスク１００ａの種類を判別する。より詳しくは、制御部１６０はサーボ部１４０から入力される第１及び第２ピーク値の情報に基づいて、第１及び第２Ｓ−カーブの発生回数と第１及び第２Ｓ−カーブ間の間隔情報を検出する。制御部１６０はフォーカスアクチュエータ１１５のアップ／ダウン期間の間にサーボ部１４０から入力される全てのピーク値の個数及び前記各ピーク値の入力間隔をカウントすることで、第１及び第２Ｓ−カーブの発生回数と各Ｓ−カーブ間の間隔を検出できる。制御部１６０はサーボ部１４０から入力される第１及び第２ピーク値の情報及び前記ピーク値の情報に基づいて検出されたＳ−カーブの発生回数、各Ｓ−カーブ間の間隔情報に基づいてローディングされた光ディスク１００ａの種類を判別する。
【００２９】
制御部１６０は表１に示した方式でローディングされた光ディスク１００ａの種類を判別する。
【００３０】
表１は本発明に係る光ディスクの判別方法を説明するためサーボ部１４０から検出されたＦＥ信号に対するピーク値の大きさを表す。
【００３１】
【表１】
2007520834.tif 000003
光ディスクの種類を判別するため、まず、制御部１６０は第１ピーク値と第２ピーク値とを比較する。その結果、ＣＤ用ＬＤ１１１がオンの間に検出された第１ピーク値が、ＤＶＤ用ＬＤ１１２がオンの間に検出された第２ピーク値より所定のレベル以上大きい場合、制御部１６０はローディングされた光ディスク１００ａをＣＤと判断する。逆に、ＤＶＤ用ＬＤ１１２がオンの間に検出された第２ピーク値が、ＣＤ用ＬＤ１１１がオンの間に検出された第１ピーク値より所定のレベル以上小さい場合、制御部１６０はローディングされた光ディスク１００ａをＤＶＤと判断する。
【００３２】
上述したように、制御部１６０は第１及び第２ピーク値の差に基づいてローディングされた光ディスク１００ａの種類を判断した後、第１及び第２ピーク値に基づいて、検出された第１及び第２Ｓ−カーブの発生回数と前記各カーブ間の間隔に基づいてディスクの種類をさらに細分化する。例えば、ローディングされた光ディスク１００ａがＣＤであると判断されれば、制御部１６０はローディングされたＣＤがノーマルディスク（ＣＤ）であるか再記録可能なＲＷディスク（ＣＤ−ＲＷ）であるかを判別するため、第１ピーク値と予め設定された第１閾値とを比較する。その結果、制御部１６０は第１ピーク値が第１閾値より大きければノーマルディスク（ＣＤ）であると判断し、第１閾値より小さければＲＷディスク（ＣＤ−ＲＷ）であると判断する。これは、通常、ノーマルディスクのピーク値がＲＷディスクのピーク値より所定のレベル以上大きいためである。このとき、ＣＤ−ＲＷのピーク値は第１閾値より小さいが、ＣＤ−ＲＷの基準ピーク値の範囲内にある。
【００３３】
一方、ローディングされた光ディスク１００ａがＤＶＤであると判断されれば、制御部１６０はローディングされたＤＶＤがノーマルディスク（ＤＶＤ−Ｓ、ＤＶＤ−Ｄ）であるか再記録可能なＲＷディスク（ＤＶＤ−ＲＷ）であるかを判断するため、第２ピーク値と予め設定された第２閾値とを比較する。その結果、制御部１６０は第２ピーク値が第２閾値より大きければローディングされたＤＶＤをノーマルディスク（ＤＶＤ−ＳまたはＤＶＤ−Ｄ）と判断し、第２閾値より小さければＲＷディスク（ＤＶＤ−ＲＷ）と判断する。また、前記判断結果、ローディングされたＤＶＤがノーマルＤＶＤであると判断されれば、制御部１６０はＤＶＤ用ＬＤがオンの間に検出された第２Ｓ−カーブの発生回数の情報に基づいてシングルレイヤーディスク（ＤＶＤ−Ｓ）であるかデュアルレイヤーディスク（ＤＶＤ−Ｄ）であるかを判別する。すなわち、制御部１６０はＤＶＤ用ＬＤ１１２がオンの間に第２Ｓ−カーブが一回発生すれば、ローディングされたＤＶＤがシングルレイヤーディスク（ＤＶＤ−Ｓ）であると判断する。
【００３４】
これと異なって、ＤＶＤ用ＬＤ１１２がオンの間に第２Ｓ−カーブが二回発生すれば、制御部１６０はローディングされたＤＶＤがデュアルレイヤーディスクであると判断する。この場合、制御部１６０は第２Ｓ−カーブ間の間隔情報に基づいてデュアルレイヤーディスクがＤＶＤ−Ｄであるかハイブリッドディスクであるかを判断する。すなわち、制御部１６０は検出された第２Ｓ−カーブ間の間隔が予め設定された基準間隔（例えば、０．６ｍｍ）以上であれば、ハイブリッドディスクであると判断し、基準間隔以下であればＤＶＤ−Ｄであると判断する。ここで、ハイブリッドディスクはＤＶＤとＣＤを両方記録／再生可能にしたディスクであり、ハイブリッドディスクの一例として、ＣＤレイヤー及びＨＤ（高密度）レイヤーを共に収録しているスーパーオーディオコンパクトディスク（ＳＡＣＤ）が挙げられる。デュアルレイヤーハイブリッドディスクの場合２つのレイヤー層がそれぞれ０．６ｍｍ及び１．２ｍｍに形成されているものの、ＤＶＤ−Ｄのレイヤー層は全て０．６ｍｍ付近に形成されている。したがって、制御部１６０は第２Ｓ−カーブ間の間隔が０．６ｍｍに近接した値であればハイブリッドディスクと判断する。
【００３５】
以下、図２Ａ〜２Ｃに示すように、ＣＤ、ＤＶＤ−Ｓ、及びＤＶＤ−Ｄがそれぞれローディングされた時のＦＥ信号の波形について説明する。
【００３６】
まず、ノーマルＣＤがローディングされた時、フォーカスアクチュエータ１１５をアップさせるためのＦＯＤのアップ期間（ａ→ｂ）、すなわち、ＣＤ用ＬＤ１１１をオンにした期間、及びフォーカスアクチュエータ１１５をダウンさせるためのＦＯＤのダウン期間（ｂ→ｃ）、すなわち、ＤＶＤ用ＬＤ１１２をオンにした期間の間に検出されたＦＥ信号は図２Ａに示した通りである。図２Ａに示すように、ＣＤ用ＬＤ１１１をオンにした期間の間に検出された第１Ｓ−カーブ（ｄ）のピーク値が、ＤＶＤ用ＬＤ１１２をオンにした期間の間に検出された第２Ｓ−カーブ（ｅ）のピーク値より大きいことが分かる。
【００３７】
一方、ＤＶＤ−Ｓがローディングされた時、ＣＤ用ＬＤ１１１をオンにした期間及びＤＶＤ用ＬＤ１１２をオンにした期間の間に検出されたＦＥ信号は図２Ｂに示した通りである。すなわち、図２Ｂに示すように、ＤＶＤ用ＬＤ１１２をオンにした期間の間に検出された第２Ｓ−カーブ（ｅ）のピーク値が、ＣＤ用ＬＤ１１１をオンにした期間の間に検出された第１Ｓ−カーブ（ｄ）のピーク値より大きいことが分かる。これと異なって、ＤＶＤ−Ｄがローディングされた時、ＣＤ用ＬＤ１１１をオンにした期間及びＤＶＤ用ＬＤ１１２をオンにした期間の間に検出されたＦＥ信号は図２Ｃに示した通りである。すなわち、図２Ｂと同様に、ＤＶＤ−Ｄがローディングされた時、ＤＶＤ用ＬＤ１１２をオンにした期間の間に検出された第２Ｓ−カーブ（ｅ）のピーク値が、ＣＤ用ＬＤ１１１をオンにした期間の間に検出された第１Ｓ−カーブ（ｄ）のピーク値より大きいし、ＤＶＤ用ＬＤ１１２をオンにした期間の間に第２Ｓ−カーブ（ｅ）が二回発生したことが分かる。
【００３８】
以下、図１〜４に基づいて本発明の好適な実施形態による光ディスクの判別方法について説明する。
【００３９】
図３及び図４は図１に図示した光ディスク判別装置の光ディスクの判別方法を説明するためのフローチャートである。
【００４０】
図１〜３に示すように、制御部１６０はピックアップ部１１０に設けられたＣＤ用ＬＤ１１１がオンにされるようＡＰＣ１３０を制御する（Ｓ２００）。そして、制御部１６０はフォーカスアクチュエータ１１５をアップさせるためのＦＯＤをフォーカスアクチュエータ１１５に提供して、フォーカスアクチュエータ１１５をａからｂに上向き調整させる（Ｓ２１０）。フォーカスドライブ１５０により駆動されるフォーカスアクチュエータ１１５がｂ位置に到達したと判断されれば、制御部１６０はＣＤ用ＬＤ１１１がオフにされるようＡＰＣ１３０を制御する。そして、制御部１６０はＣＤ用ＬＤ１１１がオンの間に光検出器１１６を通じて検出されたＦＥ信号の中に発生した第１Ｓ−カーブに対する第１ピーク値を検出するようピーク値検出部１４４を制御する（Ｓ２２０）。ピーク値検出部１４４によって検出された第１ピーク値の情報は制御部１６０に提供される。
【００４１】
制御部１６０はＤＶＤ用ＬＤ１１２がオンにされるようＡＰＣ１３０を制御する（Ｓ２３０）。そして、制御部１６０はフォーカスアクチュエータ１１５をダウンさせるためのＦＯＤをフォーカスアクチュエータ１１５に提供して、フォーカスアクチュエータ１１５をｂからｃに下向き調整させる（Ｓ２４０）。フォーカスアクチュエータ１１５がｃ位置に到達したと判断されれば、制御部１６０はＤＶＤ用ＬＤ１１２がオフにされるようＡＰＣ１３０を制御する。そして、制御部１６０はＤＶＤ用ＬＤがオンの間に光検出器１１６を通じて検出されたＦＥ信号の中に発生した第２Ｓ−カーブ（ｅ）に対する第２ピーク値を検出するようピーク値検出部１４４を制御する（Ｓ２５０）。制御部１６０はＳ２２０及びＳ２５０段階から検出された第１及び第２ピーク値に基づいて光ディスクドライブにローディングされた光ディスク１００ａの種類を判別する（Ｓ２６０）。
【００４２】
以下、図４に基づいて、制御部１６０の光ディスクの種類判別方法について詳説する。
【００４３】
同図に示すように、制御部１６０はピーク値検出部１４４から入力される第１及び第２ピーク値の情報に基づいて第１及び第２Ｓ−カーブの発生回数、前記各Ｓ−カーブ間の間隔情報を検出する（Ｓ２６１）。制御部１６０は第１及び第２ピーク値の情報、検出された前記各Ｓ−カーブの発生回数情報及び間隔情報に基づいてローディングされた光ディスク１００ａの種類を判別する。
【００４４】
より詳しく説明すると、制御部１６０はローディングされた光ディスク１００ａがＣＤ系であるかＤＶＤ系であるかを判断するため第１ピーク値と第２ピーク値とを比較する（Ｓ２６２）。その結果、第１ピーク値が第２ピーク値より所定のレベル以上大きければ、制御部１６０はローディングされた光ディスク１００ａをＣＤ系と判断する（Ｓ２６３）。ローディングされた光ディスク１００ａがＣＤ系であると判断されれば、制御部１６０はローディングされたＣＤがノーマルＣＤであるかＣＤ−ＲＷであるかを判断するため、第１ピーク値と第１閾値とを比較する（Ｓ２６４）。Ｓ２６４段階において第１ピーク値が第１閾値より大きければ、制御部１６０はローディングされたＣＤをノーマルＣＤと判断する（Ｓ２６５）。これと異なって、第１ピーク値が第１閾値より小さければ、制御部１６０はローディングされたＣＤをＣＤ−ＲＷと判断する（Ｓ２６６）。
【００４５】
一方、Ｓ２６２段階において第１ピーク値が第２ピーク値より所定のレベル以上小さければ、制御部１６０はローディングされた光ディスク１００ａをＤＶＤ系と判断する（Ｓ２７０）。ローディングされた光ディスク１００ａがＤＶＤ系であると判断されれば、制御部１６０はローディングされたＤＶＤがノーマルＤＶＤであるかＤＶＤ−ＲＷであるかを判別するため、第２ピーク値と予め設定された第２閾値とを比較する（Ｓ２７１）。その結果、第２ピーク値が第２閾値より小さければ、制御部１６０はローディングされたＤＶＤをＤＶＤ−ＲＷと判断する（Ｓ２７２）。これと異なって、第２ピーク値が第２閾値より大きければ、制御部１６０はローディングされたＤＶＤをノーマルＤＶＤと判断する（Ｓ２７３）。
【００４６】
Ｓ２７３段階においてローディングされたＤＶＤがノーマルＤＶＤであると判断されれば、制御部１６０は第２Ｓ−カーブの発生回数情報に基づいて前記ＤＶＤがシングルレイヤーディスク（ＤＶＤ−Ｓ）であるかデュアルレイヤーディスクであるかを判別する。このため、制御部１６０はＤＶＤ用ＬＤ１１２がオンの間にＦＥ信号の中に発生した第２Ｓ−カーブの発生回数が二回であるかを判断する（Ｓ２７４）。その結果、ＤＶＤ用ＬＤ１１２がオンの間にＦＥ信号の中に第２Ｓ−カーブが二回発生したと判断されれば、制御部１６０はローディングされたＤＶＤをシングルレイヤーディスク（ＤＶＤ−Ｓ）と判断する（Ｓ２７５）。
【００４７】
これと異なって、Ｓ２７４段階においてＤＶＤ用ＬＤ１１２がオンの間にＦＥ信号の中に第２Ｓ−カーブが二回発生したと判断されれば、制御部１６０はローディングされたＤＶＤをデュアルレイヤーディスクと判断する（Ｓ２７６）。前記のように、ローディングされたＤＶＤがデュアルレイヤーディスクであると判断されれば、制御部１６０は第２Ｓ−カーブ間の間隔情報に基づいてデュアルレイヤーディスクがＤＶＤ−Ｄであるかハイブリッドディスクであるかを判断する。このため、制御部１６０は検出された第２Ｓ−カーブ間の間隔と予め設定された基準間隔（例えば、０．６ｍｍ）とを比較する（Ｓ２７７）。その結果、検出された第２Ｓ−カーブ間の間隔が基準間隔以上であると判断されれば、制御部１６０はローディングされたＤＶＤをハイブリッドディスクと判断する（Ｓ２７８）。これと反対に、検出された第２Ｓ−カーブ間の間隔が基準間隔以下であると判断されれば、制御部１６０はローディングされたＤＶＤをＤＶＤ−Ｄと判断する（Ｓ２７９）。
【００４８】
以上、説明したように、本発明によれば、光ディスクの種類によって変わってくるＦＥ信号のピーク値に基づいてローディングされた光ディスクの種類を判別することで、ローディングされた光ディスクの判別に対する正確度が向上する。
【００４９】
すなわち、本発明によれば、ＣＤ用光源をオンにした状態で検出されたＦＥ信号のピーク値及びＤＶＤ用光源をオンにした状態で検出されたＦＥ信号のピーク値に基づいて、ローディングされた光ディスクがＣＤ系であるかＤＶＤ系であるかを判別できるので、従来のようにローディングされた光ディスクがＣＤ系であるかＤＶＤ系であるかを判別するため、ＲＦ  Ｓｕｍ信号を測定しなくても良い。したがって、サーボ部の負荷を減らすことができ、光ディスクの判別時間を短縮できる。
【００５０】
また、本発明によれば、前記それぞれのピーク値、前記ピーク値に基づいて検出されたＳ−カーブの発生回数、及びＳ−カーブ間の間隔情報に基づいて光ディスクの種類をさらに細分化できる。
【００５１】
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【産業上の利用可能性】
【００５２】
本発明は光ディスクドライブにローディングされた光ディスクの種類を判別する光ディスクの判別方法及びその装置に関する。
【図面の簡単な説明】
【００５３】
【図１】本発明の好適な実施形態による光ディスク判別装置を概略的に示すブロック図である。
【図２Ａ】図１に図示した光ディスク判別装置にＣＤがローディングされた場合に検出されたＦＥ信号に対する波形図である。
【図２Ｂ】図１に図示した光ディスク判別装置にＤＶＤ−Ｓがローディングされた場合に検出されたＦＥ信号に対する波形図である。
【図２Ｃ】図１に図示した光ディスク判別装置にＤＶＤ−Ｄがローディングされた場合に検出されたＦＥ信号に対する波形図である。
【図３】図１に図示した光ディスク判別装置の光ディスク判別方法を説明するため示したフローチャートである。
【図４】図１に図示した光ディスク判別装置の光ディスク判別方法を説明するため示したフローチャートである。
【図１】
2007520834.tif 000004
2007520834.tif 000005
2007520834.tif 000006
【図３】
2007520834.tif 000007
【図４】
2007520834.tif 000008
【国際調査報告】
2007520834.tif 000009